(57)【要約】【課題】  既存の環形蛍光ランプ用の器具本体に簡易に取り付け可能なＬＥＤ光源装置を提供する。【解決手段】  ＬＥＤ光源装置３０は、一方の側（発光面）にＬＥＤを実装した基板を有する筐体１と、筐体１の他方の側に配置される環形蛍光ランプまたはそれと同形状の部材（以下、ダミーランプという）２と、環形蛍光ランプまたはそのダミーランプ２を筐体１の他方の側に保持する保持部材３と、環形蛍光ランプまたはそのダミーランプ２の輪の内側の筐体１に固定されるＬＥＤ駆動電源４と、ＬＥＤ駆動電源４に電気コード２６を介して接続される電源入力コネクタ５とを備える。【選択図】  図１
2012022808.tif 000002
【特許請求の範囲】
【請求項１】
環形蛍光ランプ用の器具本体に取り付けて用いるＬＥＤ光源装置であって、一方の側にＬＥＤを実装した基板を有する筐体と、前記筐体の他方の側に配置される環形蛍光ランプまたはそのダミーランプと、前記環形蛍光ランプまたはそのダミーランプを前記筐体の他方の側に保持する保持部材と、前記環形蛍光ランプまたはそのダミーランプの輪の内側の前記筐体に固定されるＬＥＤ駆動電源と、前記ＬＥＤ駆動電源に接続される電源入力コネクタとを備えたＬＥＤ光源装置。
【請求項２】
前記電源入力コネクタが、前記器具本体の給電コネクタに接続可能に設けられた外部電源用ソケットに接続可能に構成された請求項１記載のＬＥＤ光源装置。
【請求項３】
前記保持部材が、前記環形蛍光ランプまたはそのダミーランプを複数個所で前記筐体に括る括り具である請求項１または２記載のＬＥＤ光源装置。
【請求項４】
前記保持部材が、前記環形蛍光ランプまたはそのダミーランプを複数個所で支持する前記筐体に固定されたランプホルダである請求項１または２記載のＬＥＤ光源装置。
【請求項５】
環形蛍光ランプを支持するためのランプホルダを有する器具本体と、前記ランプホルダに支持される環形蛍光ランプまたはそのダミーランプを有する請求項１〜４のいずれかに記載のＬＥＤ光源装置とを備えたＬＥＤ照明装置。
【発明の詳細な説明】
【技術分野】
【０００１】
本発明はＬＥＤ光源装置に係り、特に既存の環形蛍光ランプ用の器具本体に取り付けて用いることができるＬＥＤ光源装置に関するものである。
【背景技術】
【０００２】
高光束の発光ダイオード（ＬＥＤ）の普及が浸透するにつれ、照明装置の分野では蛍光ランプからＬＥＤへの置き換えが始まっている。長寿命であるＬＥＤを蛍光ランプの代わりに用いると、例えば蛍光ランプ取替えが困難な設置場所などでは、蛍光ランプを取り替えるための人件費などのコストを削減することができる。また蛍光ランプの廃棄物を削減できるメリットもある。
【０００３】
蛍光ランプのうち、直管形蛍光ランプに代わるＬＥＤランプについては例えば特開２０１０−９２９９０号公報に開示されているが、環形蛍光ランプに代わるＬＥＤランプは見ることができないのが実状である。
【先行技術文献】
【特許文献】
【０００４】
【特許文献１】特開２０１０−９２９９０号公報
【発明の概要】
【発明が解決しようとする課題】
【０００５】
ＬＥＤを実装する基板は平板状であり、これを環形蛍光ランプに適用することは困難または非常にコストがかかる。また、この種の平板状基板は環形蛍光ランプと形状が異なるために既存の蛍光ランプ用器具に取り付けることができなかった。そのため、既存の蛍光ランプ用器具を取り外すなどして個別にＬＥＤ照明装置を設置する必要があった。さらに、ＬＥＤ照明装置の多くは電源を光源部とは別に設けているため、給電方法、電源の配線や電源設置場所によりＬＥＤ照明装置の全体システムが煩雑になる場合があった。
本発明の目的は、既存の環形蛍光ランプ用の器具本体に簡易に取り付け可能なＬＥＤ光源装置を提供することにある。
【課題を解決するための手段】
【０００６】
本発明は、上記目的を達成するために、以下のＬＥＤ光源装置およびＬＥＤ照明装置を提供するものである。
（１）環形蛍光ランプ用の器具本体に取り付けて用いるＬＥＤ光源装置であって、一方の側にＬＥＤを実装した基板を有する筐体と、前記筐体の他方の側に配置される環形蛍光ランプまたはそのダミーランプと、前記環形蛍光ランプまたはそのダミーランプを前記筐体の他方の側に保持する保持部材と、前記環形蛍光ランプまたはそのダミーランプの輪の内側の前記筐体に固定されるＬＥＤ駆動電源と、前記ＬＥＤ駆動電源に接続される電源入力コネクタとを備えたＬＥＤ光源装置。
（２）前記電源入力コネクタが、前記器具本体の給電コネクタに接続可能に設けられた外部電源用ソケットに接続可能に構成された上記（１）記載のＬＥＤ光源装置。
（３）前記保持部材が、前記環形蛍光ランプまたはそのダミーランプを複数個所で前記筐体に括る括り具である上記（１）または（２）記載のＬＥＤ光源装置。
（４）前記保持部材が、前記環形蛍光ランプまたはそのダミーランプを複数個所で支持する前記筐体に固定されたランプホルダである上記（１）または（２）記載のＬＥＤ光源装置。
（５）環形蛍光ランプを支持するためのランプホルダを有する器具本体と、前記ランプホルダに支持される環形蛍光ランプまたはそのダミーランプを有する上記（１）〜（４）のいずれかに記載のＬＥＤ光源装置とを備えたＬＥＤ照明装置。
【発明の効果】
【０００７】
本発明によれば、既存の環形蛍光ランプ用の器具本体に簡易に取り付け可能なＬＥＤ光源装置を得ることができる。これにより、これまで行ってきた環形蛍光ランプの取り付け方法と同様の方法でＬＥＤ光源装置を既存の環形蛍光ランプ用の器具本体に取り付けることができる。また、ＬＥＤ駆動電源に接続される電源入力コネクタは、既存の器具本体の給電コネクタに接続可能に設けられた外部電源用ソケットに接続可能に構成することにより、電源の接続を容易とすることができる。
【図面の簡単な説明】
【０００８】
【図１】（ａ）〜（ｃ）は本発明に係るＬＥＤ照明装置の一実施例を示す図である。
【図２】（ａ）は図１（ｂ）に示すＬＥＤ光源装置の平面図、（ｂ）は（ａ）のＡ−Ａ’断面図である。
【図３】環形蛍光ランプまたはそのダミーランプを保持する保持部材の別の例を示す図である。
【図４】図１（ａ）に示す器具本体に取り付けて用いるＬＥＤ光源装置の他の例を示す斜視図である。
【発明を実施するための形態】
【０００９】
図１（ａ）〜（ｃ）は本発明に係るＬＥＤ照明装置の一実施例を示す図である。
図１（ａ）は、既存の器具本体２０の側面図を示す。器具本体２０は、図示しない安定器あるいはランプ点灯装置を含み、環形蛍光ランプを支持するためのランプホルダ６、および電気コード２４を介して接続された給電コネクタ２５を有する。器具本体２０の中央部には器具本体を吊る吊り具２１が設けられている。吊り具２１は、外部電源に接続するための電源端子２２と、器具本体２０の給電コネクタ２５に接続可能な外部電源用ソケット２３とを有する。図１（ａ）では、給電コネクタ２５は外部電源用ソケット２３から外された状態にある。
【００１０】
図１（ｂ）は、図１（ａ）に示す器具本体に取り付けて用いるＬＥＤ光源装置の斜視図である。ＬＥＤ光源装置３０は、一方の側（発光面）にＬＥＤを実装した基板を有する筐体１と、筐体１の他方の側に配置される環形蛍光ランプまたはそれと同形状の部材（以下、ダミーランプという）２と、環形蛍光ランプまたはそのダミーランプ２を筐体１の他方の側に保持する保持部材３と、環形蛍光ランプまたはそのダミーランプ２の輪の内側の筐体１に固定されるＬＥＤ駆動電源４と、ＬＥＤ駆動電源４に電気コード２６を介して接続される電源入力コネクタ５とを備える。電源入力コネクタ５は、図１（ａ）に示す外部電源用ソケット２３に接続可能に構成される。
【００１１】
ＬＥＤ光源装置３０を器具本体２０に取り付ける場合、まずＬＥＤ光源装置３０を器具本体２０に接近させ、電源入力コネクタ５を外部電源用ソケット２３に接続し、そしてＬＥＤ光源装置３０に配置された環形蛍光ランプまたはそのダミーランプ２の輪を図１（ａ）に示すランプホルダ６の凹部に支持させる。この順序は逆でもよい。その後、必要に応じて、ＬＥＤ光源装置３０を覆うように本体カバーを器具本体２０に取り付ける。
【００１２】
図１（ｃ）は、図１（ｂ）に示すＬＥＤ光源装置３０の発光面の斜視図である。図１（ｃ）に示すように、筐体１は複数のＬＥＤ９を実装したＬＥＤ基板１０を有する。本例では、基板１０は複数枚に分割され、それぞれＬＥＤ基板実装コネクタ１１を備え筐体１に固定されるが、これに限定されず、一枚の基板で構成してもよい。
【００１３】
図２（ａ）は図１（ｂ）に示すＬＥＤ光源装置３０の平面図、（ｂ）は（ａ）のＡ−Ａ’断面図である。本例では、図２（ｂ）に示すように、ＬＥＤ９、ＬＥＤ基板１０およびＬＥＤ基板実装コネクタ１１を保護するため、それらを覆う例えばアクリル製の透明カバー１２が設けられる。また、ＬＥＤ光源装置３０には、それを覆うように本体カバー７を器具本体２０に取り付けることができる。本体カバー７は、例えば乳白色のプラスチック材料で構成される。ここで保持部材３は、本例で示すように環形蛍光ランプまたはそのダミーランプ２を複数個所で筐体１に括る括り具として構成することができるが、これに限定されず別の構成としてもよい。次にその一例を示す。
【００１４】
図３は、環形蛍光ランプまたはそのダミーランプを保持する保持部材の別の例を示す図である。ここで環形蛍光ランプまたはそのダミーランプはどちらでも適用可能であり、以下ではダミーランプとして説明する。本図の保持部材は、ダミーランプ２を複数個所で支持する筐体１に固定されたランプホルダ８として構成したものである。このランプホルダ８は、図１（ａ）に示す環形蛍光ランプを支持するためのランプホルダ６と同様の構成とすることができる。ランプホルダ８はダミーランプ２と同方向の筐体１上に設置されており、筐体１にリベット等で固定され、自重および振動等により外れることが無い構造とされる。筐体１に固定されるランプホルダ８はダミーランプ２の円状外周に取り付けができるような構造となっている。ランプホルダ８の使用数は４本が望ましいが、上記構造を満足できれば使用本数に限定はない。ＬＥＤ光源装置３０は器具本体２０のランプホルダ６にダミーランプ２が設置された状態で取り付けることが可能である。ＬＥＤ光源装置３０のランプホルダ８は器具本体２０のランプホルダ６と干渉することなく、ダミーランプ２に外れないように取り付けられる。これにより部品を共通化できる利点がある。
【００１５】
図４は、図１（ａ）に示す器具本体に取り付けて用いるＬＥＤ光源装置の他の例を示す斜視図である。本例のＬＥＤ光源装置３１が図１（ｂ）のものと異なる点は、筐体３２が円形状をしているところにあり、その他の点は図１（ｂ）のものと同様である。本例のＬＥＤ光源装置３１は、家庭用の環形蛍光ランプ照明器具に好適である。
【００１６】
以下、さらに詳述する。筐体１は例えば金属または樹脂材料によって構成することができる。また筐体１の形状は四角形や円形に限定されず、他の形状としてもよい。筐体１のサイズは、ダミーランプ２を括り具で構成された保持部材３で保持する場合、例えばランプの径よりも大きなサイズとされる。
【００１７】
上述のとおり、筐体１の一方の側は、ＬＥＤが実装された複数枚のＬＥＤ基板が搭載され、面輝度がほぼ一様な発光面となっている。ＬＥＤ基板は筐体１とは例えばネジまたは接着剤で固定されており、通常時の使用では発光面が下向き、つまり筐体１が逆さに取り付けられるため自重および振動等により筐体１とＬＥＤ基板が外れない構造となっている。筐体１はＬＥＤから熱の放熱機能を有している。ＬＥＤ光源装置は自重が極力小さいことが望ましく、そのため筐体１は薄型・軽量であることが望ましい。また、筐体１は保持部材３を取り付けるため筐体面内に取り付け穴を有している。１つの保持部材３につき２箇所の取り付け穴を備える。保持部材３は筐体１と固定される構造となっている。
【００１８】
環形蛍光ランプの代わりに用いるダミーランプ２は環形蛍光ランプと同形状であり、材質は例えば樹脂またはガラスとすることができる。ダミーランプ２は、保持部材３を介してＬＥＤ駆動電源４を搭載した筐体１を支えるため、自重および振動等により形状が変形しない構造とされる。ダミーランプ２は括り具としての保持部材３によって括られており、筐体１とは独立した構造となっている。保持部材３は大きさに余裕をもたせてダミーランプ径よりも若干大きな形状とすることにより、ダミーランプ２をランプホルダ６に取り付ける場合に筐体１と干渉することなく取り付けが可能で、ワンタッチで取り付けられる構造とすることができる。
【００１９】
保持部材３はＬＥＤ駆動電源４が搭載された筐体１をダミーランプ２で支える構造であり、筐体１とダミーランプ２間は固定されていないため、保持部材３の大きさの範囲内でランプホルダ６にダミーランプ２が固定された場合も筐体１は移動できる。そのため、保持部材３は自重および特に筐体１の移動による振動等によって保持部材３が損傷しない強度のある材質であることが望まれる。保持部材３は図１（ｂ）では４個使用しているが、自重等による損傷がなければこれに限定されることはない。
【００２０】
保持部材３の形状は、括り具として筐体１と独立しているダミーランプ２の表面に保持部材が沿うように設けられる構造上、円形形状でたとえば金属線や樹脂製タイラップなどフレキシブルに変形できることが望ましい。保持部材３は筐体１上にある２個の取り付け穴を介してダミーランプ２を括るものであり、この場合、保持部材３の筐体１との固定部はＬＥＤ基板搭載面に設けるとよい。これにより固定部はダミーランプ２と同方向にないことで固定部がダミーランプ２に干渉することを防ぐことができる。
【００２１】
ＬＥＤ駆動電源４は、外部電源からの給電をもとにＬＥＤに給電する装置である。通常、給電側の入力電圧はＡＣ１００Ｖまたは２００Ｖであり、ＬＥＤ駆動電源４の出力電圧は２４Ｖから４８Ｖまでの定電圧電源または出力電流が０．０５Ａから０．５Ａまでの定電流電源とすることができる。ＬＥＤ駆動電源４の電源入力コネクタ５は外部電源用ソケット２３に接続されるものであり、ＬＥＤ駆動電源４はＬＥＤ基板実装コネクタ１１を介してＬＥＤ９に給電する。
【００２２】
ＬＥＤ駆動電源４は、ダミーランプ２の輪の中にダミーランプ２や保持部材３と干渉することなく配置され、筐体１のＬＥＤ基板とは反対側の面上にネジ固定され、これにより筐体１とＬＥＤ駆動用電源４が一体となっている。ＬＥＤ駆動電源をＬＥＤ光源と別設置させるものと異なり、両者の接続および設置が非常に容易であり、筐体１内にＬＥＤ駆動電源４が収納されているためコンパクトな構造となっている。
【００２３】
電源入力コネクタ５を有するＬＥＤ駆動電源４からの電気コード２６は保持部材３およびダミーランプ２に干渉することなく外部電源用ソケット２３に接続可能とされる。電源入力コネクタ５は、器具本体２０の給電コネクタ２５と同一形状とすることができる。ＬＥＤ光源装置３０を器具本体２０に取り付ける場合、器具本体２０の給電コネクタ２５を外部電源用ソケット２３から外し、代わりにＬＥＤ光源装置３０の電源入力コネクタ５を外部電源用ソケット２３に接続することで電気的接続ができ、特殊な工事が不要となる。
【００２４】
ランプホルダ６は既存の器具本体２０に例えば４本取り付けられているものであり、ダミーランプ２は環形蛍光ランプと同形状であるためダミーランプ２のランプホルダ６への取り付けは従来と同様に行うことができる。通常、照明器具の器具本体は天井等に設置されるものであり、ランプホルダ６およびダミーランプ２を介して筐体１が器具本体２０に取り付けられることにより、ＬＥＤ発光面が下向きの環形蛍光ランプに代わるＬＥＤ光源装置が得られる。
【産業上の利用可能性】
【００２５】
本発明はＬＥＤ光源装置に係り、特に既存の環形蛍光ランプ用の器具本体に取り付けて用いることができるＬＥＤ光源装置に関するものであり、産業上の利用可能性がある。
【符号の説明】
【００２６】
１  筐体
２  環形蛍光ランプまたはそのダミーランプ
３  保持部材（括り具）
４  ＬＥＤ駆動電源
５  電源入力コネクタ
６  ランプホルダ
７  本体カバー
８  保持部材（ランプホルダ）
９  ＬＥＤ
１０  ＬＥＤ基板
１１  ＬＥＤ基板実装コネクタ
１２  透明カバー
【図１】
2012022808.tif 000003
【図２】
2012022808.tif 000004
【図３】
2012022808.tif 000005
【図４】
2012022808.tif 000006